(57)【特許請求の範囲】
【請求項１】
平面視コ字状をなし、かつ中間の連結部分を前面とした支持杆における左右の垂直片の後端上下部に、商品陳列什器のワイヤネットに係止する係止爪を設け、かつ支持杆の前面に、商品陳列用のバーを突設したことを特徴とする商品陳列用フック装置。
【請求項２】
上下の係止爪の間隔を、ワイヤネットの上下のワイヤ間隔とほぼ等しくした請求項１記載の商品陳列用フック装置。
【請求項３】
左右の垂直片間の間隔を、ワイヤネットの縦線の径よりも大とした請求項１または２記載の商品陳列用フック装置。
【請求項４】
係止爪を、垂直片より連続する同一の金属板により形成した請求項１〜３のいずれかに記載の商品陳列用フック装置。
【請求項５】
少なくとも上部の係止爪により形成されるワイヤ進入溝の形状を、係止爪の下端から上方を向く縦溝の上端に、後方を向く水平溝を連設したほぼ倒立Ｌ字状とした請求項１〜４のいずれかに記載の商品陳列用フック装置。
【請求項６】
支持杆の前面における商品陳列用のバーの上方に、プライスカード支持用のバーを設けた請求項１〜５のいずれかに記載の商品陳列用フック装置。
【請求項７】
支持杆の一方の垂直片に、該垂直片のほぼ板厚に相当する距離だけ、側方に偏位させた段部を形成した請求項１〜６のいずれかに記載の商品陳列用フック装置。
【発明の詳細な説明】
【０００１】
【発明の属する技術分野】
本発明は、商品陳列什器におけるワイヤネットに係止する商品陳列用フック装置に関する。
【０００２】
【従来の技術】
従来、図８に示すような商品陳列什器(１)のバックネット、すなわち複数の横線(2a)と複数の横線(2b)とを格子状に組んで交差部を適宜溶着したワイヤネット(２)に、図９に示すネットフック(３)(４)を引っ掛けて取り付け、その前面から水平に突出するバー(５)に、小物商品の包装(図示略)の上部に穿設した丸孔を通して吊り下げて陳列することが行われている。このような商品陳列用のネットフックは、例えば特開２０００−６０６９８号公報にに記載されている。
【０００３】
このような従来のネットフックは、陳列の密度を高めるためにワイヤネットの縦線と横線とが交差している部位にも係止できるようになっている。
【０００４】
【発明が解決しようとする課題】
しかし、図８に示す商品陳列什器(１)の前面、後面の両面を商品陳列に用いる場合、両面から交差部にネットフックを係止したいのに、片面からしかできないという問題があった。
【０００５】
本発明の目的は、商品陳列什器のワイヤネットの縦線と横線との交差部位、あるいは交差部位以外の任意の場所で同じ位置にネットフックすなわち商品陳列用フック装置を表裏より係止できるようにするとともに、構造の簡素化、脱落防止等を図ることにある。
【０００６】
【課題を解決するための手段】
本発明によると、上記課題は、次のようにして解決される。
(１) 平面視コ字状をなし、かつ中間の連結部分を前面とした支持杆における左右の垂直片の後端上下部に、商品陳列什器のワイヤネットに係止する係止爪を設け、かつ支持杆の前面に、商品陳列用のバーを突設する。
【０００７】
(２) 上記(１)項において、上下の係止爪の間隔を、ワイヤネットの上下のワイヤ間隔とほぼ等しくする。
【０００８】
(３) 上記(１)または(２)項において、左右の垂直片間の間隔を、ワイヤネットの縦線の径よりも大とする。
【０００９】
(４) 上記(１)〜(３)項のいずれかにおいて、係止爪を、垂直片より連続する同一の金属板により形成する。
【００１０】
(５) 上記(１)〜(４)項のいずれかにおいて、少なくとも上部の係止爪により形成されるワイヤ進入溝の形状を、係止爪の下端から上方を向く縦溝の上端に、後方を向く水平溝を連設したほぼ倒立Ｌ字状とする。
【００１１】
(６) 上記(１)〜(５)項のいずれかにおいて、支持杆の前面における商品陳列用のバーの上方に、プライスカード支持用のバーを設ける。
【００１２】
(７) 上記(１)〜(６)項のいずれかにおいて、支持杆の一方の垂直片に、該垂直片のほぼ板厚に相当する距離だけ、側方に偏位させた段部を形成する。
【００１３】
【発明の実施の形態】
図１は、図２及び図３に示すネットフックすなわち本発明の商品陳列用フック装置(３)(４)を、複数の横線(2a)と複数の縦線(2b)とを格子状に組んだ商品陳列什器のワイヤネット(２)に引っかけた状態を示す斜視図である。
【００１４】
図２は、２個のネットフック(３)を、その支持杆(６)を互いに向き合わせた状態で示す斜視図である。ネットフック(３)は、平面視コ字状に折り曲げて形成した、例えば金属板材製の支持杆(６)と、支持杆(６)の前面すなわち互いに平行な左右の垂直片(6a)(6a)の前端同士を連結する部分の上下方向ほぼ中央から前方に水平に延び、先端を若干上方に折り曲げた金属製の商品陳列用のバー(５)とを備えている。
左右の垂直片(6a)(6a)の間隔は、ワイヤネット(２)の縦線(2b)を収容するに充分な間隔とされている。
【００１５】
支持杆(６)の２個の垂直片(6a)(6a)の後端上下部には、係止爪(７)(８)が形成されている。これらの係止爪(７)(８)は、垂直片(6a)より連続する同一の金属板をプレス加工等により切り込んで形成されたもので、上部の係止爪(７)とそれが連設されている垂直片(6a)とにより形成されるワイヤ進入溝(7a)の形状は、係止爪(７)の下端から上方を向く縦溝(7b)の上端に、後方を向く水平溝(7c)を連設した、ほぼ倒立Ｌ字状なしている。下方の係止爪(８)とそれが連設されている垂直片(6a)とにより形成されるワイヤ進入溝(8a)は、係止片(８)の下端から上方を向く縦溝のみからなり、上述の水平溝(7c)に相当するものは設けられていない。
なお、図７に示す変形例においては、上下部の係止爪(８)(８)は、ともに単に下方に開口する形状のものとされている。
【００１６】
いずれの係止爪(７)(８)も、商品陳列什器のワイヤネット(２)の横線(2a)を収容するに充分な鉤部を形成するものであり、上下の係止爪(７)(８)の上下間隔は、ワイヤネット(２)の横線(2a)の上下間隔とほぼ等しいものとされている。
【００１７】
図３に示すネットフック(４)では、支持杆材(６)の上端部に、商品陳列用のバー(５)と平行して、プライスカード支持用のバー(９)が取り付けられている。バー(９)は、その先端が直角に短く上方に曲げられており、ここにプライスカード支持片が取り付けられる。支持杆(６)及び上下の係止爪(７)(８)の形状については、上述のネットフック(３)の場合と変わりない。
【００１８】
図４に示すネットフック(４)は、バー(９)の先端にプライスカード支持片(10)が予め取り付けられているものである。支持杆(６)及び上下の係止爪(７)(８)の形状については、上述のネットフック(３)の場合と変わりない。
【００１９】
図１の中央に示すように、ネットフック(３)は、その支持杆(６)の上下の係止爪(７)(８)を、ワイヤネット(２)の上下に隣設する２本の横線(2a)に引っかけて係止される。図示のように、その部位は、縦線(2b)を２個の垂直片(6a)間にまたがせる所でも、縦線(2b)のない部位でも、随意に選択することができる。
【００２０】
また、図１の左側及び図５に示すように、支持杆(６)は平面視コ字状となっているので、縦線(2b)をまたぐ部位でも、ワイヤネット(２)の表裏両面において同一位置に取り付けることができる。その際表面側のネットフック(３)と裏面側のネットフック(３)とは、支持杆(６)の垂直片(6a)の板厚分のずれを生じるだけである。
【００２１】
図６に示す変形例では、この板厚分のずれをなくすために、一方の垂直片(6a)に、板厚分に相当する距離だけ側方に偏位させた段部(11)が形成されている。
【００２２】
図１の右側に示すように、プライスカード支持用のネットフック(４)も、ネットフック(３)と同様にワイヤネット(２)に取り付けることができる。図示はしていないが、ワイヤネット(２)の両面に取り付ける場合でも、ネットフック(３)と全く変わりない。
【００２３】
【発明の効果】
請求項１記載の発明によれば、ネットフックは、ワイヤネットの表裏両面でほぼ同一位置に取り付けることができ、陳列のロスを防ぎ、美しく陳列することができる。この効果は、ワイヤネットの縦線をまたぐ部位においてよく発揮される。
【００２４】
請求項２記載の発明によれば、ネットフックを、その支持杆の上下で確実に掛止するので、引っ掛けられた商品の顧客による取外しの際、ネットフックが動いたり、脱落したりするおそれが少ない。
【００２５】
請求項３記載の発明によれば、ネットフックを、ワイヤネットの縦線と横線とが交差する部位に取り付けることができ、それによってネットフックの左右方向への移動を阻止することができる。
【００２６】
請求項４記載の発明によれば、丈夫な係止爪を板金のパンチング加工等により、容易に形成することができる。
【００２７】
請求項５記載の発明によれば、ネットフックの上端が、ワイヤネットの横線から上方へ外れにくくなり、商品の顧客による取外しの際、ネットフックが外れることがない。
【００２８】
請求項６記載の発明によれば、販売業者等の要求により、商品陳列什器のワイヤネットに、プライスカード付きのネットフックを取り付けることができる。
【００２９】
請求項７記載の発明によれば、ワイヤネットの表裏面のネットフックを、全く同一部位に取り付けることができる。
【図面の簡単な説明】
【図１】本発明の商品陳列用フック装置の複数の実施形態を取り付けた商品陳列什器のワイヤネットの一部分を示す斜視図である。
【図２】本発明の商品陳列用フック装置の第１の実施形態を、２個前後対称的に並べた状態を示す斜視図である。
【図３】本発明の商品陳列用フック装置の第２の実施形態を示す斜視図である。
【図４】同じく、その変形例を示す斜視図である。
【図５】図２に示す２個の商品陳列用フック装置を、ワイヤネットの表裏両面の同一部位に引っかけた状態を示す横断平面図である。
【図６】本発明の商品陳列用フック装置の第３の実施形態を示す、図５と同様な横断平面図である。
【図７】本発明の商品陳列用フック装置の第４の実施形態の斜視面図である。
【図８】商品陳列什器の斜視図である。
【図９】従来のネットフックを取り付けた商品陳列什器のワイヤネットの一部分を示す斜視図である。
【符号の説明】
(１)商品陳列什器
(２)ワイヤネット
(2a)横線
(2b)縦線
(３)(４)ネットフック（商品陳列用フック装置）
(５)バー
(６)支持杆
(6a)垂直片
(７)(８)係止爪
(7a)(8a)ワイヤ進入溝
(7b)縦溝
(7c)水平溝
(９)バー
(10)プライスカード支持片
(11)段部
【図１】
0004625167.tif 000002
【図２】
0004625167.tif 000003
【図３】
0004625167.tif 000004
【図４】
0004625167.tif 000005
【図５】
0004625167.tif 000006
【図６】
0004625167.tif 000007
【図７】
0004625167.tif 000008
【図８】
0004625167.tif 000009
【図９】
0004625167.tif 000010